(57)【特許請求の範囲】
【請求項１】
複数の無線インターフェース上の同時送信をサポートするモバイルデバイスのための電力管理のための方法であって、下記を具備する方法、
第１の無線インターフェース上の送信のために使用される第１の電力レベルを決定すること、
第２の無線インターフェース上の送信のために使用される第２の電力レベルを決定すること、
前記第１の電力レベルおよび前記第２の電力レベルの複合と閾値電力レベルとを比較すること、および
前記比較に基づいて前記第２の電力レベルを調節すること、
ここにおいて前記第１の無線インターフェースへの電力の割り当ては、前記第２の無線インターフェースへの電力の割り当てに対して、０から特定の電力レベルまで優先順位を決められており、
前記第１の無線インターフェースは、前記第２の無線インターフェースの前に前記特定の電力レベルまで電力レベルを割り当てられることができ、前記第２の無線インターフェースは、次に、前記閾値電力レベルから、前記第１の無線インターフェースへの割り当てに使用された電力レベルを減算した電力レベルまで電力レベルを割り当てられることができ、任意の割り当てられていない電力が、もしあれば、前記第１の無線インターフェースによって要求された残りの電力割り当てを遂行するために使用されることができる、ことにより、前記第２の電力レベルが調節される。
【請求項２】
前記第２の電力レベルを調節することは、前記第１の電力レベルと前記第２の電力レベルの合計が前記閾値電力レベル以下または等しくなるように前記第２の電力レベルを調節することを具備する、請求項１に記載の方法。
【請求項３】
前記比較に基づいて前記第１の電力レベルを調節することをさらに具備し、前記調節された第１の電力レベルと前記調節された第２の電力レベルの前記複合は、前記閾値電力レベル以下または等しい、請求項１に記載の方法。
【請求項４】
複数の無線インターフェース上の同時送信をサポートする無線通信デバイスであって、下記を具備する無線通信デバイス、
第１の無線インターフェース上の送信のために使用される第１の電力レベルを決定するように構成された第１のインターフェース電力レベル計算器、
第２の無線インターフェース上の送信のために使用される第２の電力レベルを決定するように構成された第２のインターフェース電力レベル計算器、
前記第１の電力レベルおよび前記第２の電力レベルの複合と閾値電力レベルとを比較するように構成された差チェックユニット、および
前記比較に基づいて、前記第２の電力レベルを調節するように構成された第２のインターフェース電力レベル調節器、
ここにおいて前記第１の無線インターフェースへの電力の割り当ては、前記第２の無線インターフェースへの電力の割り当てに対して、０から特定の電力レベルまで優先順位を決められており、
前記第１の無線インターフェースは、前記第２の無線インターフェースの前に前記特定の電力レベルまで電力レベルを割り当てられることができ、前記第２の無線インターフェースは、次に、前記閾値電力レベルから、前記第１の無線インターフェースへの割り当てに使用された電力レベルを減算した電力レベルまで電力レベルを割り当てられることができ、任意の割り当てられていない電力が、もしあれば、前記第１の無線インターフェースによって要求された残りの電力割り当てを遂行するために使用されることができる、ことにより、前記第２の電力レベルが調節される。
【請求項５】
前記第２のインターフェース電力レベル調節器は、前記第１の電力レベルと前記第２の電力レベルの合計が前記閾値電力レベル以下または等しくなるように前記第２の電力レベルを調節することによって前記第２の電力レベルを調節するように構成される、請求項４に記載のデバイス。
【請求項６】
前記比較に基づいて前記第１の電力レベルを調節するように構成された第１のインターフェース電力レベル調節器をさらに具備し、前記調節された第１の電力レベルと前記調節された第２の電力レベルの前記複合は、前記閾値電力レベル以下または等しい、請求項４に記載のデバイス。
【請求項７】
複数の無線インターフェース上の同時送信をサポートする無線通信デバイスであって、下記を具備する無線通信デバイス、
第１の無線インターフェース上の送信のために使用される第１の電力レベルを決定するための手段、
第２の無線インターフェース上の送信のために使用される第２の電力レベルを決定するための手段、
前記第１の電力レベルおよび前記第２の電力レベルの複合と閾値電力レベルとを比較するための手段、および
前記比較に基づいて、前記第２の電力レベルを調節するための手段、
ここにおいて前記第１の無線インターフェースへの電力の割り当ては、前記第２の無線インターフェースへの電力の割り当てに対して、０から特定の電力レベルまで優先順位を決められており、
前記第１の無線インターフェースは、前記第２の無線インターフェースの前に前記特定の電力レベルまで電力レベルを割り当てられることができ、前記第２の無線インターフェースは、次に、前記閾値電力レベルから、前記第１の無線インターフェースへの割り当てに使用された電力レベルを減算した電力レベルまで電力レベルを割り当てられることができ、任意の割り当てられていない電力が、もしあれば、前記第１の無線インターフェースによって要求された残りの電力割り当てを遂行するために使用されることができる、ことにより、前記第２の電力レベルが調節される。
【請求項８】
調節するための手段は、前記第１の電力レベルと前記第２の電力レベルの合計が前記閾値電力レベル以下または等しくなるように前記第２の電力レベルを調節することによって前記第２の電力レベルを調節するように構成される、請求項７に記載のデバイス。
【請求項９】
前記比較に基づいて前記第１の電力レベルを調節するための手段をさらに具備し、前記調節された第１の電力レベルと前記調節された第２の電力レベルの前記複合は、前記閾値電力レベル以下または等しい、請求項７に記載のデバイス。
【請求項１０】
下記を具備するコンピュータ・プログラム、
第１の無線インターフェース上の送信のために使用される第１の電力レベルをコンピュータに決定させるためのコード、
第２の無線インターフェース上の送信のために使用される第２の電力レベルをコンピュータに決定させるためのコード、
前記第１の電力レベルおよび前記第２の電力レベルの複合と閾値電力レベルとをコンピュータに比較させるためのコード、および
前記比較に基づいて前記第２の電力レベルをコンピュータに調節させるためのコード、
ここにおいて前記第１の無線インターフェースへの電力の割り当ては、前記第２の無線インターフェースへの電力の割り当てに対して、０から特定の電力レベルまで優先順位を決められており、
前記第１の無線インターフェースは、前記第２の無線インターフェースの前に前記特定の電力レベルまで電力レベルを割り当てられることができ、前記第２の無線インターフェースは、次に、前記閾値電力レベルから、前記第１の無線インターフェースへの割り当てに使用された電力レベルを減算した電力レベルまで電力レベルを割り当てられることができ、任意の割り当てられていない電力が、もしあれば、前記第１の無線インターフェースによって要求された残りの電力割り当てを遂行するために使用されることができる、ことにより、前記第２の電力レベルが調節される。
【発明の詳細な説明】
【関連出願の参照】
【０００１】
本特許出願は、（1）２００９年５月１４日に出願された、代理人番号０９２１４６Ｐ１を有する「System and method for resolving conflicts between air interfaces in a wireless communication system」という名称の米国仮出願６１/１７８,３３２、（２）２００９年５月１４日に出願された、代理人番号０９２１１９Ｐ１を有する「Allocating transmit power among multiple air interfaces」という名称の米国仮出願６１/１７８,４５２、および（３）２００９年５月１４日に出願された、代理人番号０９２１３２Ｐ１を有する「System and method for dropping and adding an air interface in a wireless communication system」という名称の米国仮出願第６１/１７８,３３８に基づいて優先権を主張するものである。上述の出願は、参照によって本明細書の全体に組み込まれている。
【技術分野】
【０００２】
本発明は、一般に、通信ネットワークおよびシステムに関する。詳細には、本発明は、複数の無線インターフェースを使用して同時送信をサポートするモバイルデバイスのために複数の無線インターフェースの間で電力を割り当てるためのシステムおよび方法に関する。
【背景技術】
【０００３】
音声、ビデオ、マルチメディア、およびパケットデータを含むがそれらに限定されない様々な形式のデータを送信するために、無線通信システムおよびネットワークの多くの形式が使用される。いくつかの場合において、そのようなネットワーク上で通信するモバイルデバイスは、複数の無線インターフェース（例えば１x、１xアドバンスド、ＤＯ、ＵＭＴＳ（ＨＳＰＡ+）、ＧＳＭ（登録商標）、ＧＰＲＳ、ＥＤＧＥなど）上の送信をサポートする。関連技術では、モバイルデバイスは、一度に１つの無線インターフェース上でのみ送信する。したがって、関連技術における電力割り当ては、一度に単一の無線インターフェースに電力を割り当てることに対処する。したがって、関連技術は、モバイルデバイスが複数の無線インターフェース上で同時に送信する複数の無線インターフェースの間の電力割り当てについて説明していない。したがって、複数の無線インターフェース上で同時に送信するモバイルデバイスのための効率的な電力割り当て対策を提供することが望まれる。
【発明の概要】
【０００４】
本発明のシステム、方法、およびデバイスの各々は、いくつかの態様を有しており、そのいずれも、単独でその望ましい属性の責任を負わない。以下に続く特許請求の範囲によって表されるような本発明の範囲を限定することなく、より顕著な特徴がこれから簡潔に議論される。この議論を考慮した後、および特に、「発明の詳細な説明」の項を読んだ後、当業者は、複数の無線インターフェース上の同時通信を含む利点を本発明の特徴がどのように提供するかを理解するだろう。
【０００５】
本開示の１つの態様は、複数の無線インターフェース上の同時送信をサポートする通信デバイスのための複数の無線インターフェースの間で電力を割り当てるための方法であって、当該方法は、第１の無線インターフェース上で送信するために使用される第１の電力レベルを決定すること、第２のインターフェース上で送信するために利用可能な第２の電力レベルを決定すること、第１の電力レベルと第２のインターフェース上で送信するために利用可能な第２の電力レベルとを比較すること、第１の電力レベルと第２の電力レベルとの比較に基づいて第２の無線インターフェース上で送信するための推定された第２の電力レベルを決定すること、および少なくとも推定された第２の電力レベルに基づいて電力ベースのペイロード制約を生成することを具備する。
【０００６】
本開示の他の態様は、複数の無線インターフェース上の同時送信をサポートする無線通信デバイスであって、当該無線通信デバイスは、第１の無線インターフェース上で送信するために使用される第１の電力レベルを決定するように構成された第１のインターフェース電力レベル計算器、第２のインターフェース上で送信するために利用可能な第２の電力レベルを決定するように構成された第２のインターフェース電力レベル計算器、第１の電力レベルと第２のインターフェース上で送信するために利用可能な第２の電力レベルとを比較するように構成された差チェックユニット（differential check unit）、第１の電力レベルと第２の電力レベルとの比較に基づいて第２の無線インターフェース上で送信するための推定された第２の電力レベルを決定するように構成された第２のインターフェース電力レベル調節器、および少なくとも推定された第２の電力レベルに基づいて電力ベースのペイロード制約を生成するように構成された電力ベースのペイロード制約計算器を具備する。
【０００７】
本開示の他の態様は、複数の無線インターフェース上の同時送信をサポートする通信デバイスのための複数の無線インターフェースの間で電力を割り当てるためのシステムであって、当該システムは、第１の無線インターフェース上で送信するために使用される第１の電力レベルを決定する手段、第２のインターフェース上で送信するために利用可能な第２の電力レベルを決定する手段、第１の電力レベルと第２のインターフェース上で送信するために利用可能な第２の電力レベルとを比較する手段、第１の電力レベルと第２の電力レベルとの比較に基づいて第２の無線インターフェース上で送信するための推定された第２の電力レベルを決定する手段、および少なくとも推定された第２の電力レベルに基づいて電力ベースのペイロード制約を生成する手段を具備する。
【０００８】
本開示の他の態様は、第１の無線インターフェース上で送信するために使用される第１の電力レベルをコンピュータに決定させるためのコード、第２のインターフェース上で送信するために利用可能な第２の電力レベルをコンピュータに決定させるためのコード、第１の電力レベルと第２のインターフェース上で送信するために利用可能な第２の電力レベルとをコンピュータに比較させるためのコード、第１の電力レベルと第２の電力レベルとの比較に基づいて第２の無線インターフェース上で送信するための推定された第２の電力レベルをコンピュータに決定させるためのコード、および少なくとも推定された第２の電力レベルに基づいて電力ベースのペイロード制約をコンピュータに生成させるためのコードを具備するコンピュータ可読媒体を具備するコンピュータ・プログラムプロダクトである。
【図面の簡単な説明】
【０００９】
【図１】図１は、２つの無線インターフェース上の同時通信に従事する無線通信デバイスを例示するブロック図である。
【図２】図２は、無線通信デバイスの機能的なブロック図である。
【図３】図３は、無線通信デバイスの受信機の機能的なブロック図である。
【図４】図４は、無線通信デバイスの送信器の機能的なブロック図である。
【図５】図５は、無線通信デバイスの機能的なブロック図の１つの実施形態を例示する。
【図６】図６は、電力ベースのペイロード制約計算器の１つの実施形態の入力および出力を例示する。
【図７】図７は、電力ベースのペイロード制約を計算する処理のフローチャート図を例示する。
【図８】図８は、マージン・ループを使用して電力マージンを調節する処理のフローチャート図を例示する。
【発明の詳細な説明】
【００１０】
本明細書において記述された技術は、符号分割多元接続（ＣＤＭＡ：Code Division Multiple Access）ネットワーク、時分割多元接続（ＴＤＭＡ：Time Division Multiple Access）ネットワーク、周波数分割多元接続（ＦＤＭＡ：Frequency Division Multiple Access）ネットワーク、直交ＦＤＭＡ（ＯＦＤＭＡ：Orthogonal ＦＤＭＡ）ネットワーク、単一搬送波ＦＤＭＡ（ＳＣ−ＦＤＭＡ：Single-Carrier ＦＤＭＡ）ネットワークなどのような様々な無線通信ネットワークに使用されることができる。「ネットワーク（networks）」および「システム（systems）」という用語は、しばしば交換的に使用される。ＣＤＭＡネットワークは、ユニバーサル・テレストリアル無線接続（ＵＴＲＡ：Universal Terrestrial Radio Access）、cdma２０００などのような無線技術を実装することができる。ＵＴＲＡは、広帯域ＣＤＭＡ（Ｗ−ＣＤＭＡ：Wideband-CDMA）および低チップ・レート（ＬＣＲ：Low Chip Rate）を含む。cdma２０００は、ＩＳ−２０００、ＩＳ−９５、およびＩＳ−８５６標準をカバーする。ＴＤＭＡネットワークは、モバイル通信のためのグローバルシステム（ＧＳＭ：Global System for Mobile Communications）のような無線技術を実装することができる。ＯＦＤＭＡネットワークは、発展型ＵＴＲＡ（Ｅ−ＵＴＲＡ：Evolved ＵＴＲＡ）、ＩＥＥＥ８０２.１１、ＩＥＥＥ８０２.１６、ＩＥＥＥ８０２.２０、フラッシュＯＦＤＭなどのような無線技術を実装することができる。ＵＴＲＡ、Ｅ−ＵＴＲＡ、およびＧＳＭは、ユニバーサル・モービル・テレコミュニケーション・システム（ＵＭＴＳ：Universal Mobile Telecommunication System）の一部である。ロングターム・エボリュ−ション（ＬＴＥ：Long Term Evolution）は、Ｅ−ＵＴＲＡを使用するＵＭＴＳの今度のリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）という名称の組織からの文献に記載されている。cdma２０００は、「第３世代パートナーシッププロジェクト２」（３ＧＰＰに）という名称の組織からの文献に記載されている。これらの様々な無線技術および標準は、当業者に知られている。
【００１１】
単一搬送波周波数分割多元接続（ＳＣ−ＦＤＭＡ）は、単一搬送波変調および周波数ドメイン等化を利用する技術である。ＳＣ−ＦＤＭＡは、ＯＦＤＭＡシステムのものと同様の性能および本質的に同じ全体的な複雑性を有している。ＳＣ−ＦＤＭＡ信号は、その固有の単一搬送波構造のために、より低いピーク対平均電力比（ＰＡＰＲ：peak-to-average power ratio）を有している。ＳＣ−ＦＤＭＡは、特に、より低いＰＡＰＲが送信電力効率の観点でモバイル端末に非常に役に立つアップリンク通信において、大きな注目を集めている。これは、現在、３ＧＰＰ  ＬＴＥ（Long Term Evolution）、または発展型ＵＴＲＡにおけるアップリンク多元接続方式に関する作業仮説（working assumption）である。
【００１２】
本明細書において記述される方法およびデバイスは、無線通信デバイスにおいて複数の無線インターフェースの間で送信電力を割り当てることに関係する。説明される実施形態は、２つの無線インターフェース上で送信する無線通信デバイスに関係する。しかしながら、当業者であれば、同様の方法およびデバイスが２つ以上の無線インターフェース上の送信をサポートするために使用されることができることを認識するだろう。
【００１３】
本明細書において説明された無線通信デバイスのいくつかの実施形態は、複数の無線インターフェース上で同時に送信されるように構成される。各無線インターフェースは、異なる通信標準に対応しうる。したがって、共同チャネルまたは単一の通信標準を使用するチャネルは、異なる無線インターフェースに対応しない。例えば、無線通信デバイスは、第１の無線インターフェース（例えば、１x）上で音声を通信し、第２の無線インターフェース（例えば、ＤＯ）上でデータのみを通信することができる。第１のインターフェース上で音声を送信することは、音声信号が第１の電力レベルに増幅されることを必要としうる。第１の電力レベルは、音声品質のあるレベルを維持するために選択されうる。より高い電力レベルは、無線通信デバイスによって送られる、より強い信号に対応しうる。より強い信号は、誤りを受けにくい場合があり、したがって、より高い品質の受信音声信号（例えば、より少ない雑音）という結果となる。
【００１４】
さらに、第２のインターフェース上でデータを送信することは、データ信号が第２の電力レベルに増幅されることを必要としうる。第２の電力レベルは、ある送信データレートを維持するために選択されうる。より高い電力レベルは、無線通信デバイスによって送信される、より強い信号に対応しうる。より強い信号は、誤りを受けにくい場合がある。したがって、通信チャネル上で、より多くのデータおよびより少ない誤り訂正ビットが送信されうる。
【００１５】
したがって、無線インターフェースごとの、より高い送信電力レベルは、有益でありうる。しかしながら、無線通信デバイスは、第１および第２の無線インターフェースの両方の無線インターフェース上の送信に利用可能な全体的な電力レベルに制約されうる。全体的な電力レベルは、無線インターフェースおよび／または他のデバイスの間の干渉、およびバッテリー電力消費の最小化のような要因によって抑制されうる。したがって、複数の無線インターフェースの間で全体的な電力レベルを割り当てるための方法およびデバイスが以下に説明される。利用可能な全体的な電力レベルは、静的な制約であるかまたは動的に変化しうる。
【００１６】
複数の無線インターフェース上の送信は、フレームまたはサブフレームに分割されうる。したがって、いくつかの実施形態では、本明細書において説明された方法は、フレームまたはサブフレームごとに個別に複数の無線インターフェースの間で電力を割り当てるために使用されうる。他の実施形態では、当該方法は、複数のフレームまたはサブフレームに電力を割り当てるために使用されうる。
【００１７】
図１は、２つの無線インターフェース上で同時通信に従事する無線通信デバイスを例示する図である。各無線通信デバイス１０は、それ自身とアクセス・ポイント１３０との間で第１の無線インターフェース１１０および第２の無線インターフェース１２０を同時に確立しうる。１つの実施形態では、第１の無線インターフェース１１０は、第１の周波数または周波数帯によって定義される第１のチャネルにおいて確率されるのに対し、第２の無線インターフェース１２０は、第１の周波数または周波数帯と異なる第２の周波数または周波数帯によって定義される第２のチャネルにおいて確立される。１つの実施形態では、第１の無線インターフェース１１０および第２の無線インターフェース１２０は、両方とも同じアクセス・ポイント１３０により確立される。他の実施形態では、第１の無線インターフェース１１０および第２の無線インターフェース１２０は、異なるアクセス・ポイント１３０により各々確立される。アクセス・ポイント１３０の各々は、異なる地理的位置に位置しうる。さらに、１つの実施形態では、２つの無線インターフェースのコントロールは、無線通信デバイス１０において完全にコーン（cone）である。したがって、アクセス・ポイント１３０において無線インターフェースの間の相互作用はない。アクセス・ポイント１３０における相互作用の欠如は、アクセス・ポイント１３０が、他の無線インターフェースのメトリックに基づいて１つの無線インターフェースをコントロールしないことを意味する。さらに他の実施形態では、無線通信デバイス１０が、他の無線インターフェースに基づいて１つの無線インターフェース上で及ぼすただ１つのコントロールは、各無線インターフェースのパフォーマンス・メトリックに基づきうる電力レベル・コントロールである。
【００１８】
いくつかの実施形態では、無線通信デバイス１０は、無線インターフェース１１０および１２０ごとにアクセス状態およびトラフィック状態を有しうる。所与の無線インターフェース１１０または１２０がアクセス状態にあるとき、無線通信デバイス１０は、所与の無線インターフェース１１０または１２０上でデータをアクティブに送信または受信しない。アクセス状態では、無線デバイス１０は、メッセージを待ちうる。外部のデバイスまたは内部のいずれかからメッセージを受信する際、無線通信デバイス１０の無線インターフェース１１０または１２０は、トラフィック状態にエンターしうる。トラフィック状態では、無線通信デバイス１０は、所与の無線インターフェース・デバイス１１０または１２０上でデータをアクティブに送信または受信する。
【００１９】
１つの実施形態では、第１の無線インターフェース１１０は、１ｘＲＴＴトラフィックをサポートし、第２の無線インターフェース１２０は、ＥＶＤＯトラフィックをサポートする。１x、１xRTT、およびIS-２０００としても知られている１ｘＲＴＴは、1 times Radio Transmisstion Technology（１掛ける無線送信技術）の略語である。ＥＶまたはＤＯと略記されるＥＶＤＯは、発展データのみ（Evolution-Data Only）の略語である。１ｘＲＴＴとＥＶＤＯの両方は、３ＧＰＰ２（第３世代パートナーシッププロジェクト）によって維持される無線信号によるデータの無線送信のためのテレコミュニケーション標準である。これは、ＣＤＭＡ２０００（符号分割多元接続２０００）のタイプと考えられる。
【００２０】
他の実施形態では、第１の無線インターフェース１１０または第２の無線インターフェース１２０は、１xアドバンスド、ＤＯ（リリース０、改訂ＡまたはＢ）、ＵＭＴＳ（ＨＳＰＡ+）、ＧＳＭ、ＧＰＲＳ、およびＥＤＧＥ技術をサポートすることができる。
【００２１】
図２は、無線通信デバイスの機能的なブロック図である。無線通信デバイス１０は、メモリ２２０、入力デバイス２３０、および出力デバイス２４０とデータ通信状態にあるプロセッサ２１０を含む。プロセッサはさらに、モデム２５０およびトランシーバ２６０とデータ通信状態にある。トランシーバ２６０はまた、モデム２５０およびアンテナ２７０とデータ通信状態にある。個別に説明されたが、無線通信デバイス１０に関して説明された機能的ブロックが、個別の構造のエレメントである必要がないことが認識されるべきである。例えば、プロセッサ２１０およびメモリ２２０は、単一のチップで具体化されうる。同様に、２つ以上のプロセッサ２１０、モデム２５０、およびトランシーバ２６０は、単一のチップで具体化されうる。
【００２２】
プロセッサ２１０は、汎用プロセッサ、デジタル信号プロセサ（ＤＳＰ：digital signal processor）、特定用途集積回路（ＡＳＩＣ：application specific integrated circuit）、フィールドプログラマブルゲートアレイ（ＦＰＧＡ：field programmable gate array）または他のプログラマブル論理デバイス、離散ゲートまたはトランジスタ論理、離散ハードウェア・コンポーネント、またはこれらのものの任意の適切な組み合わせであって、本明細書において説明された機能を実行する。プロセッサはまた、計算デバイスの組み合わせ（例えば、ＤＳＰおよびマイクロプロセッサの組み合わせ、複数のマイクロプロセッサ、ＤＳＰコアと関連する１つまたは複数のマイクロプロセッサ、または任意の他のそのような構成）として実装されうる。
【００２３】
プロセッサ２１０は、メモリ２２０から情報を読み出す、またはメモリ２２０へ情報を書き込むために、１つまたは複数のバスを通して結合されうる。プロセッサは、追加的にまたは代替的に、プロセッサ登録装置のようなメモリを含みうる。メモリ２２０は、異なるレベルが異なる容量およびアクセススピードを有するマルチレベル階層キャッシュを含むプロセッサ・キャッシュを含むことができる。メモリ２２０はまた、ランダムアクセスメモリ（ＲＡＭ：random access memory）、他の揮発性記憶デバイス、または非揮発性記憶デバイスを含むことができる。記憶装置は、ハードドライブ、コンパクトディスク（ＣＤ）またはデジタル・ビデオ・ディスク（ＤＶＤ）のような光ディスク、フラッシュメモリ、フロッピー（登録商標）ディスク、磁気テープ、およびジップ・ドライブを含みうる。
【００２４】
プロセッサ２１０はまた、それぞれ無線通信デバイス１０のユーザから入力を受信するおよびユーザへ出力を提供するための入力デバイス２３０および出力デバイス２４０に結合される。適切な入力デバイスは、次のものには制限されないが、キーボード、ボタン、鍵、スイッチ、ポインティング・デバイス、マウス、ジョイスティック、遠隔コントロール、赤外線検出器、ビデオカメラ（場合によっては、例えば、手のしぐさまたは顔のしぐさを検出するためのビデオ処理ソフトウェアに結合される）、動き検出器、またはマイクロホン（場合によっては、例えば、音声コマンドを検出するためのオーディオ処理ソフトウェアに結合される）を含む。適切な出力デバイスは、次のものには制限されないが、ディスプレイおよびプリンターを含むビジュアル出力デバイス、スピーカー、ヘッドホン、イヤホン、およびアラームを含むオーディオ出力デバイス、およびフォース・フィードバック・ゲーム・コントローラおよび振動デバイスを含むハプティック出力デバイスを含む。
【００２５】
プロセッサ２１０は、モデム２５０およびトランシーバ２６０にさらに結合される。モデム２５０およびトランシーバ２６０は、１つまたは複数の無線インターフェース標準にしたがって、プロセッサ２１０によって生成される、アンテナ２７０を介する無線送信のためのデータを準備する。モデム２５０およびトランシーバ２６０はまた、１つまたは複数の無線インターフェース標準にしたがって、アンテナ２７０を介して受信されるデータを復調する。トランシーバは、送信器、受信機、またその両方を含みうる。他の実施形態では、送信器および受信機は、２つの個別のコンポーネントである。モデム２５０およびトランシーバ２６０は、汎用プロセッサ、デジタル信号プロセサ（ＤＳＰ）、特定用途集積回路（ＡＳＩＣ）、フィールドプログラマブルゲートアレイ（ＦＰＧＡ）または他のプログラマブル論理デバイス、離散ゲートまたはトランジスタ論理、離散ハードウェア・コンポーネント、または本明細書において説明された機能を実行するように設計されたそれらのものの任意の適切な組み合わせとして具体化されることができる。
【００２６】
図３は、無線通信デバイスの受信機の機能的ブロック図である。アンテナ２７０上で受信された信号は、低雑音増幅器３１０によって増幅される。特定の実施形態に依拠して、増幅された信号は、次に、ＳＡＷ（表面弾性波）フィルタ３２０を通される。ＳＡＷフィルタは、電気信号が圧電結晶またはセラミックから造られたデバイスにおいて機械的な波形に変換される電気機械的デバイスである。機械的な波形は、電極によって電気信号に変換し戻される前にデバイスにわたって伝搬するごとに遅延される。遅延された出力は、再結合され、有限のインパルス応答フィルタの直接のアナログ実装を生成する。信号は、次に、乗算器３３０において中心周波数によって多重化される。基底帯域信号は、次に、アナログ・ローパスフィルタ３４０を通過し、アナログ−デジタル変換器３５０においてデジタル信号に変換され、およびデジタル・ローパスフィルタ３６０によりもう一度フィルタされる。
【００２７】
信号は、次に、複数のパスに分割される。各パスは、乗算器３７０において、異なる周波数によって多重化され、サンプラー３９０によりサンプリングされる前に適切なフィルタ３８０を通される。復調、等化、デインターリーブ、および誤り訂正コード化を含む更なる処理は、処理モジュール３９５または図２のモデム２５０またはプロセッサ２１０において実行されることができる。
【００２８】
図４は、無線通信デバイスの送信器の機能的ブロック図である。送信器の機能は、受信機の機能と類似しているが、逆順である。特に、図２のプロセッサ２１０によって生成されるデータは、処理モジュール４９５、モデム２５０、またはプロセッサ２１０自身における予備の処理を受けうる。チャネルごとのデータは、乗算器４７０において変調される前に適切なフィルタ４８０を通される。変調された搬送波は、デジタル−アナログ変換器４５０においてアナログ信号に変換される前に加算器４５５において一緒に加算される。アナログ信号は、乗算器４３０において中心周波数に変調される前にアナログ・ローパスフィルタ４４０を通される。変調された信号は、アンテナ２７０を介して送信される前にＳＡＷフィルタ４２０および電力増幅器４１０を随意に通される。
【００２９】
図５は、無線通信デバイスの機能的ブロック図の１つの実施形態を例示する。いくつかの実施形態では、様々なブロックは、ソフトウェアおよび／またはファームウェアとして実装されうる。無線通信デバイス５００は、第１のインターフェース電力レベル計算器５０２を含む。１つの実施形態では、第１のインターフェース電力レベル計算器は、第１の無線インターフェース上で送信するために選択される第１の電力レベルを計算する。無線通信デバイス５００はまた、第２の無線インターフェース上で送信するための最大利用可能電力レベルを計算する（例えば、両方の無線インターフェース（静的または動的制約でありうる）上で送信するための合計電力から第１の無線インターフェース上で送信するために使用される電力を減算する）ように構成された第２のインターフェース電力レベル計算機５０４を含みうる。第１のインターフェース電力レベル計算器５０２および第２のインターフェース電力計算器５０４の両方は、差チェックユニット５０６とデータ通信状態にありうる。差チェックユニット５０６は、第２のインターフェース上で送信するための最大利用可能電力レベルが、第１のインターフェース上で送信するための第１のインターフェース電力レベルと異なるか否かを電力差閾値（power differential threshold）によって決定しうる。電力差閾値は、静的または動的に構成されうる。
【００３０】
したがって、１つの実施形態では、差チェックユニット５０６は、第１に、第２のインターフェース上で送信するための最大利用可能電力レベルと第１のインターフェース電力レベルとの間の差を決定しうる。差チェックユニット５０６は、次に、計算された差と電力差閾値とを比較しうる。計算された差が閾値より大きい場合、差チェックユニット５０６は、図７に関係して議論されるように、第２のインターフェース電力レベル調節器５０８が第２の無線インターフェースのための送信電力を決定するように信号を送ることができる。計算された差が閾値よりも少ない場合、差チェックユニット５０６は、図７に関して論述されるように、第２のインターフェース電力レベル調節器５０８が、第２の無線インターフェースのための送信電力を、第２のインターフェース上で送信するための最大利用可能電力レベルに設定するように信号を送ることができる。いくつかの実施形態では、第１の無線インターフェースと第２の無線インターフェースとの間の送信電力差は、許容可能なレベルにコントロールされうる。実際のレベルは、各無線インターフェースの特定のRF実装に依存しうる。差チェックユニット５０６は、第２のインターフェース電力レベル調節器５０８とデータ通信状態にありうる。第２の電力レベル調節器５０８は、図７に関係して議論されるように、第２の無線インターフェース上で送信するための電力レベルを推定しうる。
【００３１】
第２の電力レベル調節器５０８は、電力ベースのペイロード制約計算器５１０とデータ通信状態にありうる。電力ベースのペイロード制約計算器５１０は、以下で説明されるある要因に基づいて電力ベースのペイロード制約（例えば、電力割り当て（ＰＡ）ヘッドルーム）を生成しうる。電力ベースのペイロード制約計算器５１０は、プロセッサ５１２およびトランシーバ５１６とデータ通信状態にありうる。プロセッサ５１２は、メモリ５１４および電力コントローラ/増幅器５１６とデータ通信状態にありうる。電力コントローラ/増幅器５１６は、トランシーバ５１８とデータ通信状態にありうる。いくつかの実施形態では、プロセッサ５１２は、プロセッサ２１０と類似していてもよく、メモリ５１４は、メモリ２２０と類似していてもよく、トランシーバ５１８は、トランシーバ２６０と類似していていてもよい。電力コントローラ/増幅器５１６は、電力レベルを各無線インターフェースに割り当てうる。
【００３２】
無線通信デバイスの他の実施形態は、追加のモジュールを含みうるが、図５に図示されるモジュールのすべてを含まなくてもよいことが注目されるべきである。
【００３３】
図６はさらに、図５の電力ベースのペイロード制約計算器の１つの実施形態の入力および出力を例示する。電力ベースのペイロード制約計算器６１４は、図７に関して説明される方法にしたがって、電力ベースのペイロード制約を生成しうる。電力ベースのペイロード制約計算器６１４は、１つまたは複数の入力を取り入れうる。例えば、電力ベースのペイロード制約計算器６１４は、第１の送信電力を入力として受信しうる。これは、第１の無線インターフェースのために選択された送信電力レベルに対応する。電力ベースのペイロード制約計算器６１４はまた、第２の送信パイロット電力（例えば、ピークのパイロットまたは瞬間のパイロット）を入力として受信しうる。これは、第２の無線インターフェースの搬送波のパイロットを送信するのに必要な電力に対応する。加えて、電力ベースのペイロード制約計算器６１４は、第２の無線インターフェース上で送信するための推定された第２の送信電力を入力として受信しうる。さらに、電力ベースのペイロード制約計算器６１４は、第２の無線インターフェースの搬送波のパイロットを送信するための計算されたマージンに対応する電力マージンを入力として受信しうる。いくつかの実施形態では、電力マージンは、固定値でありうる。他の実施形態では、電力マージンは、調節されうる。１つのそのような実施形態は、図８に関係して説明される。オーバヘッド利得はまた、電力ベースのペイロード制約計算器６１４への入力でありうる。ここにおいて、オーバヘッド利得は、第２の無線インターフェースの搬送波のパイロットを送信するのに必要なオーバヘッド電力である。１つまたは複数の入力に基づいて、電力ベースのペイロード制約計算器６１４は、複数の無線インターフェースの間で電力を割り当てるために使用される電力ベースのペイロード制約を計算しうる。他の入力は、電力ベースのペイロード制約を計算するために説明された入力と類似である電力ベースのペイロード制約計算器６１４への入力でありうることが注目されるべきである。
【００３４】
図７は、電力ベースのペイロード制約を計算し、電力を割り当てるために電力ベースのペイロード制約を使用するプロセス７００のフローチャート図を例示する。いくつかの実施形態では、プロセス７００のステップは、無線通信デバイス５００の様々なコンポーネントによって実行されうる。以下の説明は、無線通信デバイス５００の１つの実施形態に関係して説明されるプロセス７００の単に１つの実施形態である。プロセス７００は、他の無線通信デバイスによって実行されることができ、プロセス７００のステップは、以下で説明されるもの以外のコンポーネントによって実行されうることが注目されるべきである。
【００３５】
ステップ７０２において、第１のインターフェース電力レベル計算器５０２は、第１の無線インターフェース上で送信するために選択される第１の電力レベルを決定する。いくつかの実施形態では、第１の無線インターフェース上で送信するために選択される電力レベルは、送信が第１の無線インターフェース上で既に生じている電力レベルでありうる。いくつかのそのような実施形態では、第１の無線インターフェース上で送信するための選択された電力レベルは、メモリ５１２から検索されうる。第１のインターフェース電力レベル計算器５０２はまた、検索された電力レベルにＩＩＲフィルタ（例えば、選択された時間制約（例えば１フレーム）をともなう１タップＩＩＲフィルタ）を適用しうる。フィルタは、第１の無線インターフェースのモード（例えば、１x無線インターフェースの１xアドバンスドモード）に基づいて設定されうる。第１の無線インターフェースがトラフィック状態を去るとき、フィルタは、再設定されうる。
【００３６】
さらに、ステップ７０４において、第２のインターフェース電力レベル計算器５０４は、第２の無線インターフェース上で送信するための最大利用可能電力レベルを計算する。１つの実施形態では、第２の無線インターフェース上で送信するための最大利用可能電力レベルは、メモリ５１２から検索されうる。他の実施形態では、第２の無線インターフェース上で送信するための最大利用可能電力レベルは、第１の無線インターフェースおよび第２の無線インターフェース上で送信するために無線通信デバイス５００に利用可能な合計電力とステップ７０２において決定された第１の電力レベルとの間の差として計算されうる。
【００３７】
次のステップ７０６において、差チェックユニット５０６は、第２のインターフェース上で送信するための最大利用可能電力レベルが、第１のインターフェース上で送信するための第１のインターフェース電力レベルと少なくとも電力差閾値だけ異なるか否かを決定しうる。それらが電力差閾値だけ異ならない場合、プロセス７０６は、ステップ７０８に進む。ステップ７０８において、第２の電力レベル調節器５０８は、第２の無線インターフェース上で送信するための推定された電力レベルを、第２のインターフェース上で送信するための最大利用可能電力レベルと第１のインターフェース上で送信するための第１のインターフェース電力レベルとの間の差に設定する。次に、プロセスは、ステップ７１２に進む。
【００３８】
ステップ７０６において、第２のインターフェース上で送信するための最大利用可能電力レベルが、第１のインターフェース上で送信するための第１のインターフェース電力レベルと少なくとも電力差閾値だけ異なると決定された場合には、プロセスはステップ７１０へと。ステップ７１０において、第２の電力レベル調節器５０８は、第２の無線インターフェース上で送信するための推定された電力レベルと第１のインターフェース上で送信するための第１のインターフェース電力レベルとの間の差が、電力差閾値を超えないように、第２の無線インターフェース上で送信するための推定された電力レベルを設定する。次に、プロセスは、ステップ７１２に進む。
【００３９】
ステップ７１２において、電力ベースのペイロード制約が計算される。１つの実施形態では、第２の無線インターフェース上でデータ・トラフィックを送信するために利用可能な推定された電力は、第１に、第２の無線インターフェース上で送信するための推定された電力レベルとオーバヘッド利得および電力マージンのために調節された第２の送信パイロット電力との間の差として計算される。電力ベースのペイロード制約は、次に、第２の送信パイロット電力および電力マージンのために調節された第２の無線インターフェース上でデータ・トラフィックを送信するために利用可能な推定された電力として計算される。次に、プロセス７００は、ステップ７１４に進む。ステップ７１４において、プロセッサ５１２は、第１の無線インターフェースおよび第２の無線インターフェースに電力を割り当てるために電力ベースのペイロード制約を使用する。電力ベースのペイロード制約は、第２の無線インターフェース上の送信のために選択される電力レベルを示す。以下で、電力割り当てスキームの実施形態が説明される。
【００４０】
いくつかの実施形態では、第１の無線インターフェースは、優先の無線インターフェースである。いくつかのそのような実施形態では、第１の無線インターフェースのためのリソースの割り当ては、第２の無線インターフェースに対して優先しうる。例えば、第１の無線インターフェースへの電力の割り当ては、制限されていない場合がある。言いかえれば、第１の無線インターフェースおよび第２の無線インターフェース上の送信のための選択された電力レベルの複合が、利用可能な全体の電力を超える場合、第２の無線インターフェースが電力を割り当てられる前に、第１の無線インターフェースは、電力を割り当てられうる。第２の無線インターフェースは、第１の無線インターフェースが電力を割り当てられた後に残る任意の電力を割り当てられうる。したがって、第１の無線インターフェースのための選択された電力レベルがＸ  Ｗであり、第２の無線インターフェースのための選択された電力レベルがＹ  Ｗであり、利用可能な全体の電力がＺ  Ｗである場合、電力は次のように割り当てられる。Ｘ＋Ｙ≦Ｚである場合、第１の無線インターフェースは、Ｘ  Ｗを割り当てられることができ、第２の無線インターフェースは、Ｙ  Ｗを割り当てられることができる。Ｘ＋Ｙ＞ＺおよびＸ<Ｚである場合、第１の無線インターフェースは、Ｘ  Ｗを割り当てられることができ、第２の無線インターフェースは、Ｚ−Ｘ  Ｗを割り当てられることができる。さらに、Ｘ＋Ｙ＞ＺおよびＸ≧Ｚである場合、第１の無線インターフェースは、利用可能なＺ  Ｗの全体を割り当てられることができる。
【００４１】
リソースを割り当てるための他の優先的なスキームが同様に使用されることができる。例えば、第１の無線インターフェースへの電力の割当ては、０  ＷからＡ  Ｗまで優先順位を決められうる。さらに、利用可能な合計送信電力は、Ｚ  Ｗでありうる。したがって、第１の無線インターフェースは、第２の無線インターフェースの前にＡ  Ｗまで電力を割り当てられる。第２の無線インターフェースは、次に、Ｚ  Ｗ−第１の無線インターフェースへの割り当てに使用されたワットの数まで電力を割り当てられうる。任意の割り当てられていない電力は、もしあれば、第１の無線インターフェースによって要求された残りの電力割り当てを遂行するために使用されうる。例えば、第１の無線インターフェースのための選択された電力レベルはＸ  Ｗでありうる。なお、Ｘ＞Ａである。第２の無線インターフェースのための選択された電力レベルは、Ｙ  Ｗでありうる。Ｘ＋Ｙ＞ＺおよびＡ＋Ｙ＞Ｚである場合、第１の無線インターフェースは、Ａ  Ｗを割り当てられ、第２の無線インターフェースは、Ｚ−Ａ  Ｗを割り当てられる。Ｘ＋Ｙ＞ＺおよびＡ＋Ｙ＜Ｚである場合、第１の無線インターフェースは、Ｚ−Ｙ  Ｗを割り当てられ、第２の無線インターフェースは、Ｙ  Ｗを割り当てられる。Ｘ＋Ｙ＞ＺおよびＸ＜Ｚである場合、第１の無線インターフェースは、Ｘ  Ｗを割り当てられることができ、第２の無線インターフェースは、Ｚ−Ｘ  Ｗを割り当てられることができる。当業者であれば、電力を割り当てるためのいくつかの優先的レベルのような他のスキーム（例えば、第１の無線インターフェースは、第１のＡ  Ｗについて優先順位をつけられ、第２の無線インターフェースは、次のＢ  Ｗについて優先順位をつけられ、第１の無線インターフェースは、次のＣ  Ｗについて優先順位をつけられるなど）が同様に使用されうることを認識するだろう。
【００４２】
図８は、マージン・ループを使用する電力マージンを調節するプロセス８００のフローチャート図を例示する。ステップ８０２において、第２の送信パイロット電力が送信パイロット電力の上限より大きいか決定される。上限は、予め決定されることができる。パイロット電力が上限より大きいと決定される場合、プロセス８００は、ステップ８０６に進む。パイロット電力が上限よりも大きくないと決定される場合、プロセス８００はステップ８０４に進む。ステップ８０４において、第１の無線インターフェースおよび第２の無線インターフェース上の送信のための選択された電力レベルの複合（composite）が、利用可能な全体的な電力を超えるか決定される。その複合が、利用可能な全体的な電力を超えると決定される場合、プロセスは、ステップ８０６に進む。その複合が、利用可能な全体的な電力を超えないと決定される場合、プロセスは、ステップ８０８に進む。
【００４３】
ステップ８０６において、電力マージンは、最大電力マージンと比較される。最大電力マージンは、予め決定されうる。電力マージンを増加させると、電力マージンが最大電力マージンを超えうる場合、プロセス８００は、電力マージンが最大電力マージンに設定されるステップ８１０に進む。電力マージンを増加させても電力マージンが最大電力マージンを超えないだろうと決定される場合、プロセス８００は、電力マージンが分量だけ増加されるステップ８１６に進む。いくつかの実施形態では、増加インターバルは、予め決定される。
【００４４】
ステップ８０８において、電力マージンは、最小電力マージンと比較される。最小電力マージンは、予め決定されうる。電力マージンを減少させると、電力マージンが最小電力マージンを下回るかもしれない場合、プロセス８００は、電力マージンが最小電力マージンに設定されるステップ８１２に進む。電力マージンを減少させると、電力マージンが最小電力マージンを下回らないだろうと決定される場合、プロセス８００は、電力マージンが分量だけ減少されるステップ８１４に進む。いくつかの実施形態では、減少インターバルは、予め決定されうる。増加インターバル、減少インターバル、最大電力マージン、および／または最小電力マージンは、無線通信デバイスによって使用される無線インターフェースのタイプに基づくことができる。
【００４５】
詳細な説明は、本発明の特定の事例を説明しているが、当業者であれば、発明の概念から離れることなく本発明のバリエーションを考案することができる。例えば、本明細書は、回路切替えネットワークエレメントを教示するが、パケット切替えドメインネットワークエレメントに等しく適用可能である。
【００４６】
当業者は、情報および信号は、様々な異なる技術および技法のうちのいずれかを使用して表わされることができることを理解するだろう。例えば、上記の説明の全体にわたって言及されたデータ、命令、コマンド、情報、信号、ビット、シンボル、およびチップは、電圧、回路、電磁波、磁場または磁粒子、光波動場または光粒子、またはこれらのものの任意の組み合わせによって表されることができる。
【００４７】
当業者は、本明細書において開示された事例に関して説明された様々な例示的な論理ブロック、モジュール、回路、方法、およびアルゴリズムは、電子的ハードウェア、コンピュータソフトウェア、または両方の組み合わせとして実装されることができることをさらに認識するだろう。ハードウェアおよびソフトウェアのこの互換性を明白に例示するために、様々な例示的なコンポーネント、ブロック、モジュール、回路、方法、およびアルゴリズムは、それらの機能性の観点から一般に上で説明されている。そのような機能性がハードウェアまたはソフトウェアとして実装されるかどうかは、全体のシステム上で課される特定のアプリケーションおよび設計の制約に依存する。当業者は、各々の特定のアプリケーションについて様々な方法で、説明された機能性を実装することができるが、そのような実装決定は、本発明の範囲から逸脱していると解釈されるべきではない。
【００４８】
本明細書において開示された事例に関係して説明された様々な例示的な論理ブロック、モジュール、および回路は、汎用プロセッサ、デジタル信号プロセッサ（ＤＳＰ）、特定用途集積回路（ＡＳＩＣ）、フィールドプログラマブルゲートアレイ（ＦＰＧＡ）または他のプログラマブル論理デバイス、離散ゲートまたはトランジスタ論理、離散ハードウェア・コンポーネント、またはこれらのものの任意の組み合わせであって、本明細書に記載の機能を実行するように設計されたものによって実装または実行されることができる。汎用プロセッサは、マイクロプロセッサであってもよいが、その代わりに、任意の従来のプロセッサ、コントローラ、マイクロコントローラ、または状態機械であってもよい。プロセッサはまた、コンピュータ計算デバイスの組み合わせ（例えば、ＤＳＰとマイクロプロセッサとの組み合わせ、複数のマイクロプロセッサ、ＤＳＰコアと結合した１つまたは複数のマイクロプロセッサ、または任意の他のそのような構成）として実装されることもできる。
【００４９】
本明細書において開示された事例と関係して説明された方法またはアルゴリズムは、ハードウェア、プロセッサによって実行されるソフトウェアモジュール、またはその２つの組み合わせにおいて直接具体化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当該技術分野において既知の記憶媒体の任意の他の形式に存在してもよい。記憶媒体は、プロセッサが記憶媒体から情報を読み出す、または記録媒体に情報を書き込むことができるように、プロセッサに結合されていてもよい。その代わりに、記録媒体は、プロセッサと一体化されていてもよい。プロセッサおよび記録媒体は、ＡＳＩＣに存在してもよい。
【００５０】
１つまたは複数の典型的な実施形態において、説明された機能は、ハードウェア、ソフトウェア、ファームウェア、またはそれらのものの任意の組み合わせにおいて実装されることができる。ソフトウェアにおいて実装される場合、当該機能は、１つまたは複数の命令またはコードとしてコンピュータ可読媒体上に記憶されるか、または送信されることができる。コンピュータ可読媒体は、ある場所から他の場所へのコンピュータ・プログラムの転送を容易にする任意の媒体を含むコンピュータ記憶媒体および通信媒体の両方を含む。記憶媒体は、汎用コンピュータまたは特殊目的コンピュータによってアクセスされることができる任意の利用可能な媒体であってもよい。事例として、かつ非制限的例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、もしくは、任意の他の媒体であって、命令またはデータ構成の形式において所望のプログラムコード手段を伝達または記憶するために使用可能で、かつ汎用コンピュータまたは特殊目的コンピュータ、または汎用プロセッサまたは特殊目的プロセッサによってアクセス可能な媒体を具備することができる。さらに、いかなる接続もコンピュータ可読媒体と適切に呼ばれる。例えば、もしソフトウェアがウェブサイト、サーバ、または他の遠くの情報源から、同軸ケーブル、光ファイバケーブル、ツイストペアケーブル、デジタル加入者線（ＤＳＬ）または無線技術（例えば、赤外線、無線およびマイクロ波など）を使用して送信されるのであれば、そうした同軸ケーブル、光ファイバケーブル、ツイストペアケーブル、DSLまたは無線技術（例えば、赤外線、無線およびマイクロ波など）もまた、送信媒体の定義に含まれる。本明細書において使用されるように、ディスク（disk and disc）は、コンパクトディスク（ＣＤ）、レーザディスク、光ディスク、デジタルバーサタイルディスク（ＤＶＤ）、フロッピーディスクおよびブルーレイディスクを含む。ここで、diskは、通常、データを磁気的に再生するものをいい、discは、レーザを用いてデータを光学的に再生するものをいう。上記のものの組み合わせはまた、コンピュータ可読媒体の範囲内に含まれるべきである。
【００５１】
本開示の以前の説明は、当該技術分野の技術者の誰もが本開示を作るまたは使用することができるように提供される。本開示に対する様々な修正は、当該技術分野の技術者に直ちに明確となり、本明細書において定義された一般原則は、本発明の要旨または範囲から逸脱することなく他の事例に適用されることができる。したがって、本発明は、本明細書において示された事例および設計に制限されるよう意図されないが、本明細書において開示された原則および新規の特徴と一致する最も広い範囲を与えられる。
以下に、本願出願の当初の特許請求の範囲に記載された発明を付記する。
［１］複数の無線インターフェース上の同時送信をサポートするモバイルデバイスのための電力管理のための方法であって、
第１の無線インターフェース上の送信のために使用される第１の電力レベルを決定すること、
第２の無線インターフェース上の送信のために使用される第２の電力レベルを決定すること、
前記第１の電力レベルおよび前記第２の電力レベルの複合と閾値電力レベルとを比較すること、および
前記比較に基づいて前記第２の電力レベルを調節すること
を具備する方法。
［２］前記第２の電力レベルを調節することは、前記第１の電力レベルと前記第２の電力レベルの合計が前記閾値電力レベル以下または等しくなるように前記第２の電力レベルを調節することを具備する、［１］に記載の方法。
［３］前記比較に基づいて前記第１の電力レベルを調節することをさらに具備し、前記調節された第１の電力レベルと前記調節された第２の電力レベルの前記複合は、前記閾値電力レベル以下または等しい、［１］に記載の方法。
［４］複数の無線インターフェース上の同時送信をサポートする通信デバイスのための複数の無線インターフェースの間で電力を割り当てるための方法であって、
第１の無線インターフェース上で送信するために使用される第１の電力レベルを決定すること、
第２のインターフェース上で送信するために利用可能な第２の電力レベルを決定すること、
前記第１の電力レベルと第２のインターフェース上で送信するために利用可能な前記第２の電力レベルとを比較すること、
前記第１の電力レベルと前記第２の電力レベルとの前記比較に基づいて前記第２の無線インターフェース上で送信するための推定された第２の電力レベルを決定すること、および
少なくとも前記推定された第２の電力レベルに基づいて電力ベースのペイロード制約を生成すること
を具備する方法。
［５］前記電力ベースのペイロード制約および利用可能な合計電力に基づいて前記第１の無線インターフェースおよび前記第２の無線インターフェースに電力を割り当てることをさらに具備する、［４］に記載の方法。
［６］前記第１の無線インターフェースへの電力の割り当ては、前記第２の無線インターフェースへの電力の割り当てに対して優先される、［５］に記載の方法。
［７］前記第１の無線インターフェースへの電力の割り当ては、優先的な電力レベルまで、前記第２の無線インターフェースへの電力の割り当てに対して優先され、前記第２の無線インターフェースへの電力の割り当ては、前記優先的な電力レベルと前記利用可能な合計電力との間の領域から、前記第１の無線インターフェースへの電力の割り当てに対して優先される、［６］に記載の方法。
［８］前記推定された第２の電力レベルを決定することは、前記推定された第２の電力レベルを、
合計電力レベルと前記第１の電力レベルとの間の差を具備する第２のインターフェース上で送信するために利用可能な前記第２の電力レベル、および
前記第１の電力レベルに基づく閾値
より小さい電力レベルに設定することを具備する、［４］に記載の方法。
［９］前記電力ベースのペイロード制約を生成することは、電力マージン、オーバヘッド利得、および前記第２の無線インターフェース上でパイロットを送信するための送信パイロット電力にさらに基づく、［４］に記載の方法。
［１０］送信パイロット電力に基づいて電力マージンを調節することをさらに具備する、［４］に記載の方法。
［１１］合計送信電力に基づいて前記電力マージンを調節することをさらに具備する、［１０］に記載の方法。
［１２］複数の無線インターフェース上の同時送信をサポートする無線通信デバイスであって、
第１の無線インターフェース上で送信するために使用される第１の電力レベルを決定するように構成された第１のインターフェース電力レベル計算器、
第２のインターフェース上で送信するために利用可能な第２の電力レベルを決定するように構成された第２のインターフェース電力レベル計算器、
前記第１の電力レベルと第２のインターフェース上で送信するために利用可能な前記第２の電力レベルとを比較するように構成された差チェックユニット、
前記第１の電力レベルと前記第２の電力レベルとの前記比較に基づいて前記第２の無線インターフェース上で送信するための推定された第２の電力レベルを決定するように構成された第２のインターフェース電力レベル調節器、および
少なくとも前記推定された第２の電力レベルに基づいて電力ベースのペイロード制約を生成するように構成された電力ベースのペイロード制約計算器
を具備する通信デバイス。
［１３］前記電力ベースのペイロード制約および利用可能な合計電力に基づいて、前記第１の無線インターフェースおよび前記第２の無線インターフェースへ電力を割り当てるように構成された電力コントローラをさらに具備する、［１２］に記載のデバイス。
［１４］前記第１の無線インターフェースへの電力の前記割り当ては、前記第２の無線インターフェースへの電力の割り当てに対して優先する、［１３］に記載のデバイス。
［１５］前記第１の無線インターフェースへの電力の割り当ては、優先的な電力レベルまで、前記第２の無線インターフェースへの電力の割り当てに対して優先され、前記第２の無線インターフェースへの電力の割り当ては、前記優先的電力レベルと前記利用可能な合計電力との間の領域から、前記第１の無線インターフェースへの電力の割り当てに対して優先される、［１４］に記載のデバイス。
［１６］前記第２のインターフェース電力レベル調節器は、前記推定された第２の電力レベルを、
前記第２の電力レベルと前記第１の電力レベルとの間の差を具備する第２のインターフェース上で送信するために利用可能な前記第２の電力レベル、および
前記第１の電力レベルに基づく閾値
より小さい電力レベルに設定するようにさらに構成される、［１２］に記載のデバイス。
［１７］前記電力ベースのペイロード制約計算器は、電力マージン、オーバヘッド利得、および前記第２の無線インターフェース上でパイロットを送信するための送信パイロット電力にも基づいて前記電力ベースのペイロード制約を生成するようにさらに構成される、［１２］に記載のデバイス。
［１８］送信パイロット電力に基づいて電力マージンを調節するように構成されたプロセッサをさらに具備する、［１２］に記載のデバイス。
［１９］合計送信電力に基づいて前記電力マージンを調節するように構成されたプロセッサをさらに具備する、［１８］に記載のデバイス。
［２０］複数の無線インターフェース上の同時送信をサポートする無線通信デバイスであって、
第１の無線インターフェース上の送信のために使用される第１の電力レベルを決定するように構成された第１のインターフェース電力レベル計算器、
第２の無線インターフェース上の送信のために使用される第２の電力レベルを決定するように構成された第２のインターフェース電力レベル計算器、
前記第１の電力レベルおよび前記第２の電力レベルの複合と閾値電力レベルとを比較するように構成された差チェックユニット、および
前記比較に基づいて、前記第２の電力レベルを調節するように構成された第２のインターフェース電力レベル調節器
を具備する無線通信デバイス。
［２１］前記第２のインターフェース電力レベル調節器は、前記第１の電力レベルと前記第２の電力レベルの合計が前記閾値電力レベル以下または等しくなるように前記第２の電力レベルを調節することによって前記第２の電力レベルを調節するように構成される、［２０］に記載のデバイス。
［２２］前記比較に基づいて前記第１の電力レベルを調節するように構成された第１のインターフェース電力レベル調節器をさらに具備し、前記調節された第１の電力レベルと前記調節された第２の電力レベルの前記複合は、前記閾値電力レベル以下または等しい、［２０］に記載のデバイス。
［２３］複数の無線インターフェース上の同時送信をサポートする通信デバイスのための複数の無線インターフェースの間で電力を割り当てるためのシステムであって、
第１の無線インターフェース上で送信するために使用される第１の電力レベルを決定するための手段、
第２のインターフェース上で送信するために利用可能な第２の電力レベルを決定するための手段、
前記第１の電力レベルと第２のインターフェース上で送信するために利用可能な前記第２の電力レベルとを比較するための手段、
前記第１の電力レベルと前記第２の電力レベルとの前記比較に基づいて、前記第２の無線インターフェース上で送信するための推定された第２の電力レベルを決定するための手段、および
少なくとも前記推定された第２の電力レベルに基づいて、電力ベースのペイロード制約を生成するための手段
を具備するシステム。
［２４］前記電力ベースのペイロード制約および利用可能な合計電力に基づいて、前記第１の無線インターフェースおよび前記第２の無線インターフェースへ電力を割り当てるための手段をさらに具備する、［２３］に記載のシステム。
［２５］前記第１の無線インターフェースへの電力の割り当ては、前記第２の無線インターフェースへの電力の割り当てに対して優先する、［２４］に記載のシステム。
［２６］前記第１の無線インターフェースへの電力の割り当ては、優先的な電力レベルまで、前記第２の無線インターフェースへの電力の割り当てに対して優先され、前記第２の無線インターフェースへの電力の割り当ては、前記優先的電力レベルと前記利用可能な合計電力との間の領域から、前記第１の無線インターフェースへの電力の割り当てに対して優先される、［２５］に記載のシステム。
［２７］前記推定された第２の電力レベルを決定するための前記手段は、前記推定された第２の電力レベルを、
前記第２の電力レベルと前記第１の電力レベルとの間の差を具備する第２のインターフェース上で送信するための利用可能な前記第２の電力レベルおよび
前記第１の電力レベルに基づく閾値
より小さい電力レベルに設定するように構成される、［２３］に記載のシステム。
［２８］前記電力ベースのペイロード制約を生成するための前記手段は、電力マージン、オーバヘッド利得、および前記第２の無線インターフェース上でパイロットを送信するための送信パイロット電力に基づいて前記電力ベースのペイロード制約を生成するようにさらに構成される、［２３］に記載のシステム。
［２９］送信パイロット電力に基づいて電力マージンを調節するための手段をさらに具備する、［２３］に記載のシステム。
［３０］合計送信電力に基づいて前記電力マージンを調節するための手段をさらに具備する、［２９］に記載のシステム。
［３１］複数の無線インターフェース上の同時送信をサポートする無線通信デバイスであって、
第１の無線インターフェース上の送信のために使用される第１の電力レベルを決定するための手段、
第２の無線インターフェース上の送信のために使用される第２の電力レベルを決定するための手段、
前記第１の電力レベルおよび前記第２の電力レベルの複合と閾値電力レベルとを比較するための手段、および
前記比較に基づいて、前記第２の電力レベルを調節するための手段
を具備する無線通信デバイス。
［３２］調節するための手段は、前記第１の電力レベルと前記第２の電力レベルの合計が前記閾値電力レベル以下または等しくなるように前記第２の電力レベルを調節することによって前記第２の電力レベルを調節するように構成される、［３１］に記載のデバイス。
［３３］前記比較に基づいて前記第１の電力レベルを調節するための手段をさらに具備し、前記調節された第１の電力レベルと前記調節された第２の電力レベルの前記複合は、前記閾値電力レベル以下または等しい、［３１］に記載のデバイス。
［３４］コンピュータ可読媒体を具備するコンピュータ・プログラムプロダクトであって、
第１の無線インターフェース上で送信するために使用される第１の電力レベルをコンピュータに決定させるためのコード、
第２のインターフェース上で送信するために利用可能な第２の電力レベルをコンピュータに決定させるためのコード、
前記第１の電力レベルと第２のインターフェース上で送信するために利用可能な前記第２の電力レベルとをコンピュータに比較させるためのコード、
前記第１の電力レベルと前記第２の電力レベルとの前記比較に基づいて、前記第２の無線インターフェース上で送信するための推定された第２の電力レベルをコンピュータに決定させるためのコード、および
少なくとも前記推定された第２の電力レベルに基づいて、電力ベースのペイロード制約をコンピュータに生成させるためのコード
を具備するコンピュータ・プログラムプロダクト。
［３５］コンピュータ可読媒体を具備するコンピュータ・プログラムプロダクト、
第１の無線インターフェース上の送信のために使用される第１の電力レベルをコンピュータに決定させるためのコード、
第２の無線インターフェース上の送信のために使用される第２の電力レベルをコンピュータに決定させるためのコード、
前記第１の電力レベルおよび前記第２の電力レベルの複合と閾値電力レベルとをコンピュータに比較させるためのコード、および
前記比較に基づいて前記第２の電力レベルをコンピュータに調節させるためのコードを具備するコンピュータ・プログラムプロダクト。
【図１】
0005591919.tif 000002
【図２】
0005591919.tif 000003
【図３】
0005591919.tif 000004
【図４】
0005591919.tif 000005
【図５】
0005591919.tif 000006
【図６】
0005591919.tif 000007
【図７】
0005591919.tif 000008
【図８】
0005591919.tif 000009